(57)【要約】【課題】異相の関係にある電力線に接続されたコンセントに電源プラグを挿入するＰＬＣブリッジ装置では、異相のコンセントを特定する為に異相の電力線に接続された配電盤まで確認する面倒な作業が必要であった。【解決手段】ＰＬＣブリッジ装置の電源プラグの一方を異相（逆位相）にある２本の電圧線間の２００Ｖの電源プラグとし、電源プラグの他方を電圧線１本と中性線との間に接続された通常の商用電源コンセントに挿入する１００Ｖの電源プラグとし、２００Ｖの電源プラグと１００Ｖの電源プラグとを高域通過用コンデンサを介してカップリングトランスに接続して、異相の関係にある電力線に接続される複数のＰＬＣ装置間の電力線搬送信号の伝達性能の改善を容易にする。【選択図】図１
2010028296.tif 000002
【特許請求の範囲】
【請求項１】
単相３線式の中性線と２本の電圧線のうちの一方の電圧線に接続されたＰＬＣ装置と前記中性線と前記２本の電圧線のうちの他方の電圧線に接続されたＰＬＣ装置間の電力線搬送信号の伝達性能を改善するＰＬＣブリッジ装置であって、
前記２本の電圧線に接続された第１の電源コンセントに挿入する第１の電源プラグと、
前記２本の電圧線のうちの何れか一方の電圧線と前記中性線に接続された第２の電源コンセントに挿入する第２の電源プラグと、
前記電力線搬送信号を中継するトランスと、
前記トランスへ、前記電力線搬送信号を通過させる電力線搬送信号通過フィルタと、を有し、
前記第１の電源プラグと前記第２の電源プラグとが、前記電力線搬送信号通過フィルタを介して、前記トランスに接続されていることを特徴とするＰＬＣブリッジ装置。
【請求項２】
請求項１に記載のＰＬＣブリッジ装置であって、
前記第１の電源プラグの２つの端子が、前記トランスの１次側の１つの端子及び２次側の１つの端子に、それぞれ、前記電力線搬送信号通過フィルタを介して接続され、
前記第２の電源コンセントに挿入されて前記第２の電源コンセントに接続された中性線に接続されるべき前記第２の電源プラグ手段の一方の端子が、前記トランスの前記第１の電源プラグ手段と接続されていない１次側の端子及び２次側の端子に前記電力線搬送信号通過フィルタを介して接続されていることを特徴とするＰＬＣブリッジ装置。
【請求項３】
請求項１または２記載のＰＬＣブリッジ装置であって、
前記第２の電源プラグは所定の一方の端子が、中性線に接続されているか否かを検出する中性線検出手段と、
警告手段と、をさらに有し、
前記中性線検出手段によって、前記所定の一方の端子が中性線に接続されていない場合、前記警告手段で警告することを特徴とするＰＬＣブリッジ装置
【請求項４】
請求項１または２記載のＰＬＣブリッジ装置であって、
前記第２の電源プラグは中性線に接続されるべき一方の端子が、前記中性線に接続されているか否かを検出する中性線検出手段と、
前記第２の電源コンセントの２つの端子と前記信号中継手段のトランスの端子との接続関係を入替える極性入替え手段と、をさらに有し、
前記中性線検出手段によって、前記中性線に接続されるべき一方の端子が前記中性線に接続されていない場合、前記極性入替え手段によって前記接続関係を入替えることを特徴とするＰＬＣブリッジ装置。
【発明の詳細な説明】
【技術分野】
【０００１】
本発明は、電力線を利用してデータを伝送する電力線通信技術に係り、単相３線式において異相間に接続されたＰＬＣ（Power Line Communications:電力線搬送通信）装置間の伝送性能を改善するＰＬＣブリッジ装置に関する。
【背景技術】
【０００２】
電力線通信の異相間のデータ伝送において、データ伝送速度が低下する要因として、電力線の異なる相をまたぐ際にＰＬＣ変調信号に大きな減衰が発生することが挙げられている。この減衰を防止する方法として、単相三線式の異なる相の電力線Ｗ１、Ｗ２を電力線搬送信号が結合できるようにブリッジする方法が特許文献１に開示されている。
また、１００Ｖの商用電源コンセント（電圧線１本と中性線との間に接続された電源コンセント（日本国内においては一般的に１００Ｖが供給される商用電源コンセント））を使い、異相関係にあるコンセント同士を接続して、電力線搬送信号をブリッジさせる製品が市販されている。
【特許文献１】特開２００２−２２３１８３号公報
【発明の開示】
【発明が解決しようとする課題】
【０００３】
しかしながら、特許文献１の発明及び市販の製品では、ＰＬＣブリッジ装置を設置する際に異相の関係にある電力線に接続されたコンセントを特定し、異相の電力線に接続されたコンセント間にＰＬＣブリッジ装置を設置する必要があるが、異相のコンセントを特定する為には、異相の電力線に接続された配電盤まで確認する作業が必要であり、非常に面倒であるという問題があった。
【０００４】
本発明の課題は、ＰＬＣブリッジ装置の電源プラグの一方を異相（逆位相）にある２本の電圧線間の２００Ｖの電源プラグとし、電源プラグの他方を電圧線１本と中性線との間に接続された通常の１００Ｖの商用電源コンセントとし、異相の電力線に接続されたＰＬＣ装置間の電力線搬送信号の伝達性能を改善することである。
【課題を解決するための手段】
【０００５】
本発明のＰＬＣブリッジ装置は、単相３線式の中性線と２本の電圧線のうちの一方の電圧線に接続されたＰＬＣ装置と前記中性線と前記２本の電圧線のうちの他方の電圧線に接続されたＰＬＣ装置間の電力線搬送信号の伝達性能を改善するＰＬＣブリッジ装置であって、前記２本の電圧線に接続された第１の電源コンセントに挿入する第１の電源プラグと、前記２本の電圧線のうちの何れか一方の電圧線と前記中性線に接続された第２の電源コンセントに挿入する第２の電源プラグと、前記電力線搬送信号を中継するトランスと、前記トランスへ、前記電力線搬送信号を通過させる電力線搬送信号通過フィルタと、を有し、前記第１の電源プラグと前記第２の電源プラグとが、前記電力線搬送信号通過フィルタを介して、前記トランスに接続されていることを特徴とする。
【発明の効果】
【０００６】
本発明によれば、電力線搬送通信において単相３線式の電力線の電源を利用し、一方の電源プラグを２００Ｖの電源コンセントに挿入し、他方の電源プラグを１００Ｖの商用電源コンセントに挿入することにより、異相間のブリッジ接続を容易に実施することが可能となるという効果を奏する。
【発明を実施するための最良の形態】
【０００７】
以下、図面を用いて、本発明の実施の形態について説明する。
図１は、一般的な家庭内の配線にＰＬＣ装置を接続し、本発明のＰＬＣブリッジ装置を取付けた場合の全体構成を説明する図である。なお、実際には配電盤にはブレーカーが接続されているが、説明をわかりやすくするため、本説明では省略する。
【０００８】
図１において、配電盤１００は単相３線式で設定された配電盤であり、２００Ｖ電圧の電圧線２０−ａと電圧線２０−ｂが、中性線１０を介して設置される。また、電圧線２０−ｂと中性線１０間の１００Ｖ電圧の電源をＬ１相、電圧線２０−ａと中性線１０間の１００Ｖ電圧の電源をＬ２相とする。そして、Ｌ１相とＬ２相は、互いに逆位相となっている。
【０００９】
１００Ｖ電源コンセント２００は、配電盤１００の電圧線２０のいずれか一方と中性線１０から取り出したそれぞれ１００Ｖ電圧の電源コンセントである。そして、１００Ｖ電源コンセント２００−ａと１００Ｖ電源コンセント２００−ｂは同相の関係であり、１００Ｖ電源コンセント２００−ａまたは１００Ｖ電源コンセント２００−ｂと、１００Ｖ電源コンセント２００−ｃとは、異相（逆位相）の関係にある。２００Ｖ電源コンセント３００は、配電盤１００の電圧線２０−ａと電圧線２０−ｂから取り出した２００Ｖ電圧の電源コンセントである。
【００１０】
ここで、異相の関係にある場合の電力線通信について説明する。電圧線２０は、単相変圧器で接続されており、電力線搬送通信において、複数のＰＬＣ装置が異相関係にある１００Ｖ電源コンセント２００間に接続される場合には、前記単相変圧器を介して長い距離で接続されることになるため、ＰＬＣ装置４００−ａとＰＬＣ装置４００−ｃとの間、あるいは、ＰＬＣ装置４００−ｂとＰＬＣ装置４００−ｃとの間では伝達効率が悪くなるという問題点がある。
【００１１】
本発明のＰＬＣブリッジ装置６００を、図１の、１００Ｖ電源コンセント２００−ｃと電源コンセント３００の間の位置に取り付けることにより、ＰＬＣ装置４００−ａとＰＬＣ装置４００−ｃの間、及び、ＰＬＣ装置４００−ｂとＰＬＣ装置４００−ｃとの間で伝達効率が改善される。
【００１２】
図１において、本発明のＰＬＣブリッジ装置６００が取り付けられている位置の一方の１００Ｖ電源コンセント２００−ｃの位置を、１００Ｖ電源コンセント２００−ｂや１００Ｖ電源コンセント２００−ａの位置に変更しても同様の効果が得られる。
【００１３】
本発明によるＰＬＣブリッジ装置の説明に先立って、図７に示した従来のＰＬＣブリッジ装置の基本的な構成について説明する。図７に示す従来のＰＬＣブリッジ装置５００において、カップリングトランス５０１は、電力線搬送信号の周波数帯域を通過させる信号中継手段として機能する。このカップリングトランス５０１を介して異相関係にある電力線間の電力線搬送信号が中継される。
【００１４】
１００Ｖ用ハイパスコンデンサ５０２は、低い周波数の商用電源（５０Ｈｚ又は６０Ｈｚ）を遮断し、高い周波数の電力線搬送信号を通過する電力線搬送通過フィルタである。１００Ｖ電源プラグ５０３は、前記中性線１０と前記電圧線２０−ａ又は電圧線２０−ｂ間に接続される前記１００Ｖ電源コンセント２００に挿入される形状の電源プラグである。従来のＰＬＣブリッジ装置５００では、１００Ｖ電源プラグ５０３の両端の端子が信号中継手段であるカップリングトランス５０１の１次側の端子に前記１００Ｖ用ハイパスコンデンサ５０２を介して接続され、もう一方の１００Ｖ電源プラグ５０３がその両端の端子が信号中継手段であるカップリングトランス５０１の２次側の端子に前記１００Ｖ用ハイパスコンデンサ５０２を介して接続される。
【００１５】
図７の場合、異相関係である１００Ｖ電源コンセント２００−ｅと１００Ｖ電源コンセント２００−ｆに、ＰＬＣブリッジ装置５００の２つの１００Ｖ電源プラグ５０３がそれぞれ接続された場合には、異相間で電力線搬送信号を中継することになりＰＬＣ装置間の電力線搬送信号の伝達性能の改善が見られるが、ＰＬＣブリッジ装置５００の２つの１００Ｖ電源プラグ５０３が、同相関係である１００Ｖ電源コンセント２００−ｄと１００Ｖ電源コンセント２００−ｅにそれぞれ接続された場合は、異相の電力線に接続されたＰＬＣ装置間の電力線搬送信号の伝達性能を改善することができない。
【実施例１】
【００１６】
図２は、本発明の実施例１のＰＬＣブリッジ装置６００の基本的なブロック構成を示す。図２は、カップリングトランス６０１、１００Ｖ用ハイパスコンデンサ６０２、２００Ｖ用ハイパスコンデンサ６０３、１００Ｖ電源プラグ６０４、２００Ｖ電源プラグ６０５、とから構成される。６０１−１，６０１−３はカップリングトランス６０１の１次側端子、６０１−２，６０１−４はカップリングトランス６０１の２次側端子、６０４−１，６０４−２は１００Ｖ電源プラグ６０４の端子、６０５−１，６０５−２は２００Ｖ電源プラグ６０５の端子を示している。
【００１７】
カップリングトランス６０１は、電力線搬送信号の周波数帯域を通過させる信号中継手段である。また、このトランスを介して異相関係にある電力線間の電力線搬送信号が中継される。
【００１８】
１００Ｖ用ハイパスコンデンサ６０２は、低い周波数の商用電源（５０Ｈｚ又は６０Ｈｚ）を遮断し、高い周波数の電力線搬送信号を通過する電力線搬送信号通過フィルタである。また、２００Ｖ用ハイパスコンデンサ６０３は、１００Ｖ用ハイパスコンデンサ６０２と同様の特性をもつ、低い周波数の商用電源（５０Ｈｚ又は６０Ｈｚ）を遮断し、高い周波数の電力線搬送信号を通過する電力線搬送信号通過フィルタである。
【００１９】
１００Ｖ電源プラグ６０４は、前記中性線１０と前記電圧線２０−ａ又は電圧線２０−ｂに接続される前記１００Ｖ電源コンセント２００に接続することができる形状の電源プラグである。また、２００Ｖ電源プラグ６０５は、前記２００Ｖ電源コンセント３００に挿入して、前記電圧線２０−ａと電圧線２０−ｂに接続されるように向きがわかる形状の電源プラグである。
【００２０】
２００Ｖ電源プラグ６０５の両端の端子６０５−１，６０５−２が、信号中継手段であるカップリングトランス６０１の１次側の端子６０１−１、２次側の端子６０１−２のそれぞれに前記２００Ｖ用ハイパスコンデンサ６０３を介して接続され、前記１００Ｖ電源プラグ６０４の中性線に接続されるべき端子６０４−１が前記信号中継手段であるカップリングトランス６０１の１次側、２次側の端子であって、前記２００Ｖ電源プラグ６０５との結線がされていない方の端子６０１−３，６０１−４に前記１００Ｖ用ハイパスコンデンサ６０２を介して接続される。カップリングトランス６０１の１次側の端子６０１−３と２次側の端子６０１−４とは結線されている。
【００２１】
このＰＬＣブリッジ装置６００が、単相３線式の電力線に１００Ｖ電源コンセント２００、２００Ｖ電源コンセント３００それぞれのコンセントを介して、どのように接続されるかを説明する。２００Ｖ電源コンセント３００と、Ｌ１相側に接続された１００Ｖ電源コンセント２００−ｃに対して、ＰＬＣブリッジ装置６００が接続された場合の結線を説明する。
【００２２】
カップリングトランス６０１は、ＡＣ２００Ｖ側のケーブル１本とＡＣ１００Ｖ側のケーブル１本を使ってＬ１相側に接続され、ＡＣ２００Ｖ側のケーブルの他の１本とＡＣ１００Ｖ側のケーブル１本を使ってＬ２相側に接続され、ＰＬＣカップリングトランス６０１がＬ１相とＬ２相間で電力線搬送通信信号を中継する。
【００２３】
２００Ｖ電源コンセント３００と、Ｌ２相側に接続された１００Ｖ電源コンセント２００−ｂに対してＰＬＣブリッジ装置６００が接続された場合の結線を説明する。
カップリングトランス６０１は、ＡＣ２００Ｖ側のケーブル１本とＡＣ１００Ｖ側のケーブル１本を使ってＬ１相側に接続され、ＡＣ２００Ｖ側のケーブルの他の１本とＡＣ１００Ｖ側のケーブル１本を使ってＬ２相側に接続され、カップリングトランス６０１がＬ１相とＬ２相間で電力線搬送信号を中継する。
【００２４】
すなわち、本ブリッジを設置する者は、１００Ｖ電源プラグ６０４がＬ１相側に接続されるのか、Ｌ２相側に接続されるのかを意識することなく工事することが可能となる。そして、１００Ｖ電源プラグ６０４を１００Ｖ電源コンセント２００に挿入する向きを正しく効果が得られるように調整する。
【実施例２】
【００２５】
実施例１のＰＬＣブリッジ装置６００では、１００Ｖ電源プラグ６０４を１００Ｖ電源コンセント２００に挿入する向きによって正しく効果が得られない場合があり、設置工事の度に、１００Ｖ電源プラグ６０４の挿入の方向を２通り変えてＰＬＣ装置区間の伝達速度を測定して良い性能となる方向で使用するが、伝達速度の測定などの作業は、設置時一度だけといえども容易な作業ではない。
【００２６】
次に実施例２として１００Ｖ電源プラグの接続間違いを自動に切り換え機能を有するＰＬＣブリッジ装置ついて説明する。
【００２７】
図３は、本発明の実施例２の挿入方向自動入替え機能を備えたＰＬＣブリッジ装置６００Ａのブロック構成図である。
【００２８】
ＰＬＣブリッジ装置６００Ａは、ＡＣ１００Ｖ電源プラグ６０４の結線を入替える電力線入替スイッチ６１３を設けることで、中央制御部６０８は、結線が正しくないと判定した場合に、電力線入替スイッチ６１３は結線の自動的な入替えを行う。６０１〜６０５は、図２の本発明の実施例１のＰＬＣブリッジ装置６００の基本ブロック構成図で説明したものと同じである。
【００２９】
電圧検出器６０６は、ＡＣ１００Ｖに接続されているかどうかを電圧あり／なしを手がかりに判定する。電圧検出器６０６の判定結果は中央制御部６０８に通知される。信号発生器６１０は、中央制御部６０８の指示で任意の単一周波数の検査信号を発生させ、送信した信号レベルを中央制御部６０８に渡す。検査信号は検査信号通過用コンデンサ６１１を介して検査信号印加選択スイッチ６１２で選択された電圧線２０へ印加される。この任意の単一周波数は商用電源周波数５０Ｈｚ，６０Ｈｚより高い周波数であって、かつ電力線搬送信号周波数帯域（数ＭＨｚ以上）より低い周波数である。
【００３０】
レベルメータ６０７は、信号発生器６１０から出力された検査信号を受信し、受信した検査信号の受信レベルを測定するレベルメータとして動作し、受信した検査信号の受信レベルを測定し、測定結果を中央制御部６０８へ通知する。中央制御部６０８は、電圧検出器６０６からの判定結果を受取ると、信号発生器６１０へ検査信号の送信開始を指示する。また、レベルメータ６０７から検査信号の受信レベルを受取り、信号発生器６１０の送信レベルと比較して結線が適切かどうかを判断する。
【００３１】
結線が適切かどうかの判断基準は以下の通りである。正しく結線されている場合には、レベルメータ６０７は電圧線２０−ａ、電圧線２０−ｂのどちらかに接続されている。検査信号は検査信号印加選択スイッチ６１２で選択された電圧線２０へ印加されるので、レベルメータ６０７が接続されている電圧線２０と検査信号が印加された電圧線２０が一致した時には検査信号がほとんど減衰しないままレベルメータ６０７へ入力される。また、正しく結線されていない場合には、レベルメータ６０７は中性線１０に接続されている。検査信号は検査信号印加選択スイッチ６１２で選択された電圧線２０へ印加されるので、検査信号はかなりの減衰を伴ってレベルメータ６０７へ入力される。
【００３２】
したがって、検査信号印加選択スイッチ６１２を切替えて、検査信号を電圧線２０−ａ、電圧線２０−ｂの順に印加した場合に、いずれかでレベルメータの受信レベルが規定値を超える場合に正しく結線されていると判定できる。一方、いずれもレベルメータの受信レベルが規定値を下回る場合は正しく結線されていないと判定できる。
【００３３】
正しく結線されていないと判定した場合、電力線入替スイッチ６１３の結線を入替えて、改めて検査信号を電圧線２０−ａ、電圧線２０−ｂの順に印加し結線が適切かどうかを判定する。
図４に、結線状況判定と結線の入替えのフローチャートを示す。このフローチャートでは、例えばＰＬＣブリッジ装置６００Ａに電源供給され中央制御部６０８が初期化されたことによりこの処理を開始する。
【００３４】
図４のフローチャートにおいて、まず、電源を供給し中央制御部６０８を初期化してこの処理を開始する（Ｓ６００１）。電圧検出器６０６の出力値によりＡＣ１００Ｖの有無を調査（Ｓ６００２）し、１００Ｖ電源プラグ６０４が１００Ｖ電源コンセント２００に接続される状態を待機する（Ｓ６００３：無）。ＡＣ１００Ｖの出力値が有る（Ｓ６００３：有）と、検査信号印加選択スイッチ６１２を電圧線２０−ａ側を選択させ（Ｓ６００４）、信号発生器６１０へ検査信号の送信開始を指示する（Ｓ６００５）。レベルメータ６０７の受信レベルを調査し（Ｓ６００６）、受信レベルが規定値を越えた場合（Ｓ６００７：Ｙ）、結線が正しいと判定し、信号発生器６１０へ検査信号送信停止を指示し（Ｓ６００８）、フローを抜ける。
【００３５】
受信レベルが規定値を下回った場合（Ｓ６００７：Ｎ）、検査信号印加選択スイッチ６１２を電圧線２０−ｂ側を選択させる（Ｓ６００９）。そしてレベルメータ６０７の受信レベルを再度調査し（Ｓ６０１０）、受信レベルが規定値を越えた場合（Ｓ６０１１：Ｙ）、結線が正しいと判定し、信号発生器６１０へ検査信号送信停止を指示し（Ｓ６００８）、フローを抜ける。
【００３６】
受信レベルが場合（Ｓ６０１１：Ｎ）、結線が正しくないと判定し、電力線入替スイッチ６１３を反対方向に入替える（Ｓ６０１２）。そして検査信号送信停止を指示し（Ｓ６００８）、フローを抜ける。
【実施例３】
【００３７】
図５は、本発明の実施例３の挿入方向自動表示機能を備えたＰＬＣブリッジ装置６００Ｂのブロック構成図である。図５は、１００Ｖ電源プラグ６０４の挿入の方向が正しいか否かを検出し、検出結果を表示することができる仕組を取り込んだ場合の機能ブロック構成を示している。
【００３８】
図５のＰＬＣブリッジ装置６００Ｂでは、ＰＬＣブリッジ装置６００Ｂ内に、ＡＣ１００Ｖ電源プラグの結線を入替える電力線入替スイッチ６１３を設けず、設置者は結線が正しくないことを示す、例えば、赤色のＬＥＤ点滅表示を確認したら、１００Ｖ電源プラグの向きを１８０°方向を入替えて再度調査結果が表示されるのを待ち、結線が正しく入替えられたことを、例えば、緑色のＬＥＤ点灯表示で確認することができる。
【００３９】
図５において、６０９はＬＥＤを示している。
６０１〜６０５は、図２の本発明の実施例１のＰＬＣブリッジ装置６００の基本ブロック構成図で説明したものと同じである。また、６０６〜６０８及び６１０〜６１２は、図３の本発明の実施例２の挿入方向自動切替え機能を備えたＰＬＣブリッジ装置６００Ａのブロック構成図で説明したものと同じである。
【００４０】
ＬＥＤ６０９は、１００Ｖ電源プラグ６０４の挿入方向が正しいかどうかを視覚的に判断できる表示を行う発光ダイオードである。
【００４１】
結線が適切かどうかの判断基準は以下の通りである。正しく結線されている場合には、レベルメータ６０７は電圧線２０−ａ、電圧線２０−ｂのどちらかに接続されている。検査信号は検査信号印加選択スイッチ６１２で選択された電圧線２０へ印加されるので、レベルメータ６０７が接続されている電圧線２０と検査信号が印加された電圧線２０が一致した時には検査信号がほとんど減衰しないままレベルメータ６０７へ入力される。
【００４２】
また、正しく結線されていない場合には、レベルメータ６０７は中性線１０に接続されている。検査信号は検査信号印加選択スイッチ６１２で選択された電圧線２０へ印加されるので、検査信号はかなりの減衰を伴ってレベルメータ６０７へ入力される。
【００４３】
したがって、検査信号印加選択スイッチ６１２を切替えて、検査信号を電圧線２０−ａ、電圧線２０−ｂに順に印加した場合に、いずれかでレベルメータの受信レベルが規定値を超える場合に正しく結線されていると判定できる。一方、いずれもレベルメータの受信レベルが規定値を下回る場合は正しく結線されていないと判定できる。
【００４４】
正しく結線されていないと判定した場合、ＬＥＤ６０９に不適切な接続であることを示す為、例えば赤色を点滅させ設置者に１００Ｖ電源プラグ６０４の挿入方向を入替えることを促す。
【実施例４】
【００４５】
図６は本発明の実施例４のＰＬＣブリッジ装置６００Ｃの基本構成を示す図である。図６に示すようなネオンランプ（ＮＬ）を設けた簡単の回路で結線の状況を調査することも可能である。これにより特別なブロックを必要としないため、安い部品構成で接続確認をできるので、コスト削減という効果がある。
【００４６】
図６において、６１４−ａ，６１４−ｂはネオンランプを示している。
６０１〜６０５は、図２の本発明の実施例１のＰＬＣブリッジ装置６００の基本ブロック構成図で説明したものと同じである。
【００４７】
それぞれのネオンランプの状態による結線の状態を次に示す。ネオンランプ６１４−ａが点灯、ネオンランプ６１４−ｂが点灯の状態では１００Ｖ電源プラグ６０４が正しい向きで１００Ｖ電源コンセント２００に挿入され接続が適切であると判断される。ネオンランプ６１４−ａが消灯、ネオンランプ６１４−ｂが点灯の状態では接続が不適切、ネオンランプ６１４−ａが点灯、ネオンランプ６１４−ｂが消灯では接続が不適切、ネオンランプ６１４−ａが消灯、ネオンランプ６１４−ｂが消灯では接続が不適切であることがわかる。
【図面の簡単な説明】
【００４８】
【図１】ＰＬＣブリッジ装置を接続したＰＬＣ装置間のＰＬＣシステムの全体構成図である。
【図２】本発明の実施例１のＰＬＣブリッジ装置の基本ブロック構成図である。
【図３】本発明の実施例２の挿入方向自動入替え機能を備えたＰＬＣブリッジ装置のブロック構成図である。
【図４】本発明の実施例２のＰＬＣブリッジ装置の結線状況確認フローチャートである。
【図５】本発明の実施例３の挿入方向自動表示機能を備えたＰＬＣブリッジ装置のブロック構成図である。
【図６】本発明の実施例４のＰＬＣブリッジ装置の基本構成図である。
【図７】従来のＰＬＣブリッジ装置を示す図である。
【符号の説明】
【００４９】
１０    電力線（中性線）
２０−ａ    電力線（電圧線）
２０−ｂ    電力線（電圧線）
１００    単相３線式の配電盤
２００    １００Ｖ電源コンセント
３００    ２００Ｖ電源コンセント
４００    ＰＬＣ装置
５００    従来のＰＬＣブリッジ装置
５０１    カップリングトランス
５０２    １００Ｖ用ハイパスコンデンサ
５０３    １００Ｖ電源プラグ
６００    ＰＬＣブリッジ装置
６００Ａ  実施例２のＰＬＣブリッジ装置
６００Ｂ  実施例３のＰＬＣブリッジ装置
６００Ｃ  実施例４のＰＬＣブリッジ装置
６０１  カップリングトランス
６０１−１    １次側端子
６０１−２    ２次側端子
６０１−３    １次側端子
６０１−４    ２次側端子
６０２    １００Ｖ用ハイパスコンデンサ
６０３    ２００Ｖ用ハイパスコンデンサ
６０４    １００Ｖ電源プラグ
６０４−１    端子
６０４−２    端子
６０５    ２００Ｖ電源プラグ
６０５−１    端子
６０５−２    端子
６０６    電圧検出器
６０７    レベルメータ
６０８    中央制御部
６０９    ＬＥＤ
６１０    信号発生器
６１１    検査信号通過用コンデンサ
６１２    検査信号印加選択スイッチ
６１３    電力線入替スイッチ
６１４    ネオンランプ
【図１】
2010028296.tif 000003
【図２】
2010028296.tif 000004
【図３】
2010028296.tif 000005
【図４】
2010028296.tif 000006
【図５】
2010028296.tif 000007
【図６】
2010028296.tif 000008
【図７】
2010028296.tif 000009